(57)【要約】【課題】排出空気を好ましい方向に向ける一方で、イオンを効率良く放出させる。【解決手段】空調部からの空気とマイナスイオン発生部１４からのイオンが、それぞれ別々の排出口５，１５から外部に排出される。そのため、第２送風路１２に繋がる排出口１５を本体１の例えば正面側に設け、第１送風路１に繋がる排出口５を本体１の例えば上面側若しくは他の方向に設ければ、マイナスイオン発生部１４からのマイナスイオンを、本体１の正面方向から少量の排気風により不快感を与えず、効率良く運搬することができ、且つ空調部からの多量の空気を、望ましい本体１の上面方向またはその他の方向に排出できる。【選択図】      図２
2004324927.tif 000002
【特許請求の範囲】
【請求項１】
空調部を備えた空調機器において、送風部による送風路を、空気を排出する第１送風路とイオンを排出する第２送風路とで形成し、前記第１送風路および前記第２送風路にそれぞれ排出部を設けたことを特徴とする空調機器。
【請求項２】
除湿する空調部と、貯溜部とを備えた空調機器において、所定時間が経過しても排液されない場合に排液を促す表示部を設けたことを特徴とする空調機器。
【請求項３】
気流を生成する空調部と、イオン部とを備えた空調機器において、前記イオン部近傍を絶縁若しくは接地するように構成したことを特徴とする空調機器。
【発明の詳細な説明】
【０００１】
【発明の属する技術分野】
本発明は、除湿機などの空調機器に関する。
【０００２】
【従来の技術】
この種の空調機器として、例えば特許文献１には、ケーシング内にマイナスイオン発生器を設けるとともに、空調部として加湿空気を送り出す加湿機と、除湿した乾燥空気を送り出す除湿機とをそれぞれ備え、加湿機および除湿機の下流側にマイナスイオン発生器を配置することで、湿度が調節された空気中にマイナスイオンを発生させるものが開示されている。
【０００３】
このように、近年の健康指向と快適・自然志向の高まりからマイナスイオンが注目され、特許文献１にあるようなマイナスイオン応用機器の商品化が進んでいる。イオン発生部であるマイナスイオン発生器は、電極に高電圧を印加して電子間の反発力を利用してマイナスイオンの生成を行なわせる放電利用方式と、ノズルなどから高速噴射した水分子が分裂微細化するときに、近傍にある空気分子がマイナスイオンに電離する水滴噴射方式などが知られているが、構造が比較的簡単な放電利用方式が一般に搭載されている。
【０００４】
マイナスイオンの必要生成量は、一般的に一立方センチメートル当り１００００個以上と云われている。これは森林や渓流，滝の周辺などのマイナスイオンの生成量に匹敵することから、一応の目安となっている。因みに、渓流や滝の周辺は上記水滴噴射方式と同様な作用が発生している。
【０００５】
また別の特許文献２には、コンプレッサを運転することで、熱交換器に相当するエバポレータとコンデンサに、高圧に圧縮したフロンガスからなる冷媒を循環させる冷凍サイクルを本体内に配設し、送風モータの運転に伴い空気吸込口から取り込んだ室内空気を、エバポレータに触れさせて空気中の水分を凝縮させ、このエバポレータに触れて冷却した空気をコンデンサで加温して、乾燥空気を室内に戻すと共に、エバポレータの結露した水をドレンパンに一時的に集め、ドレンパンの下部に設けられたホース接続口から、水の貯溜部である貯水タンクに滴下させて、結露水を貯水タンクに貯溜する除湿機が開示されている。
【０００６】
【特許文献１】
特開２０００−８１２２７号公報
【特許文献２】
特開２００１−５０５６９号公報
【０００７】
【発明が解決しようとする課題】
上記特許文献１に開示されるような空調機器に搭載されるマイナスイオン発生器は、その発生部電極を空調部である加湿器や除湿器の排出側送風経路に配置しているが、特に除湿機から排出する乾燥空気は、ファンを作動させる電動機（送風モータ）からの放熱と、空気から除湿した水分の潜熱が含まれるため、吸気する室内空気に対して排出空気の温度が上昇する。また、マイナスイオン自体が天井や壁などの障害物に衝突すると、直ぐに減少してしまうのに対して、除湿機の排出口は本体の上面側に配置されている。
【０００８】
すなわち、本体の上面側に排出口を設けると、本体の正面側からマイナスイオンを放出できないため、排出口から放出されるマイナスイオンは天井や壁などの障害物に衝突して直ぐに減少し、マイナスイオンによる十分な効能が得られない。また、こうした事態を避けるために本体の正面側に排出口を設けると、多量の乾燥空気が人体に向けて直接排出され、排出空気の温度や湿度によっては不快感を与えてしまう。
【０００９】
また、特許文献２に開示されるような除湿機においては、除湿運転を停止した後、貯溜部である貯水タンクの水は排出されないまま放置されることが多く、特に長時間放置された場合には、貯水タンク内に雑菌が増殖するなどして水が腐り、臭いの発生源や貯水タンクの汚れの原因となっていた。さらに、こうした除湿機にあっては、通常貯水タンク内の水が満杯になると、センサにより満水が検知され、除湿機としての運転が停止することから、ユーザは満水に気づいて貯水タンクの水を廃棄するが、満水になる前に運転を停止した場合は、貯水タンク内の水を排水しないまま放置することが非常に多く、上述のような水の腐敗を誘発して、その改善が望まれていた。
【００１０】
また、マイナスイオンの寿命は最長で数十秒と云われているが、拡散作用で空中伝播する過程で電気的な影響を受けて加速度的に中和され、その濃度が低下する。つまり、空気中の微細粉塵などに帯電したプラスイオンと中和したり、静電気の影響を受けて寿命が短くなる。とりわけマイナスイオン発生器の近傍では、必要なマイナスイオン量以上の生成量があるが、移住空間全体では前記中和作用や反発作用によりマイナスイオン量が減少することになる。そのため、マイナスイオン発生器から放出するマイナスイオンの中和作用や反発作用を極力押える構造が、空調装置に望まれていた。
【００１１】
本発明は、上記した諸事情を考慮してなされたものであり、排出空気を好ましい方向に向ける一方で、イオンを効率良く放出させることができる空調機器を提供することを第１の目的とする。
【００１２】
また本発明は、運転停止後に液体が長期間放置されたままになる弊害を防止できる空調機器を提供することを第２の目的とする。
【００１３】
また本発明は、イオン部から放出するイオンの中和作用や反発作用を極力押え、安定したイオン量を供給できる空調機器を提供することを第３の目的とする。
【００１４】
【課題を解決するための手段】
本発明の請求項１の空調機器では、空気とイオンがそれぞれ第１送風路と第２送風路を通過して、別々の排出部から外部に排出される。そのため、第２送風路に繋がる排出部を本体の例えば正面側に設け、第１送風路に繋がる排出部を本体の例えば上面側若しくは他の方向に設ければ、本体の正面方向から少量の排気風により不快感を与えず、イオンを効率良く運搬することができ、且つ多量の空気を望ましい本体の上面方向またはその他の方向に排出できる。
【００１５】
本発明の請求項２の空調機器では、所定時間が経過しても排液されない場合に、排液を促す表示が行なわれるので、ユーザは定期的に液体を廃棄するようになる。そのため、液体内における雑菌の増殖や臭いの発生を抑え、長期間清潔に使用することができ、液体が長期間放置されたままになる弊害を防止できる。
【００１６】
本発明の請求項３の空調機器では、イオン部近傍が電気的に絶縁されていれば、構造体はプラスまたはマイナスに帯電しない。また、イオン部近傍が電気的に接地されていれば、ここに帯電した静電気をアースで逃がすことができる。そのため、いずれの場合においても、イオン部から発生したイオンはイオン部近傍の影響による中和作用や反発作用がなく、安定したイオン量を供給できる。
【００１７】
【発明の実施形態】
以下、本発明における空調機器の一実施例を、添付図面を参照しながら説明する。なお、本実施例における空調機器は除湿機である。
【００１８】
除湿機全体の外観図を示す図１において、１は縦長箱状の除湿機の本体であって、この本体１の下部に形成した前方開口部２には、透明樹脂製の貯水タンク３が着脱自在に設けられる。また、本体１の上面傾斜部には、例えば複数のＬＥＤや各種スイッチなどにより構成される表示・操作部４が配設される。この表示・操作部４の後方に位置する本体の上部には排気口５が設けられる一方で、本体１の正面には室内の空気を取り込むための吸気口６が設けられている。
【００１９】
図２に示すように、本体１の内部には送風機７が設けられており、この送風機７により吸気口６から取り込んだ室内空気を、後述する空調部４１に通過させて乾燥させ、排気口５から再度室内へ乾燥空気を排出する循環気流の送風路が形成されている。
【００２０】
ここで、送風機７の構成をさらに詳しく説明すると、８は駆動源であるファンモータ５６（図６参照）の回転軸９に軸支されたファンブレードで、本実施例では、回転軸９の延びる方向に吸気口６から取り込んだ空気を、回転軸９の放射方向に送り出すシロッコファンが用いられている。また１０は、羽根部であるファンブレード８を取り囲むようにして設けられたケーシングで、空調部４１からの空気を乾燥空気用の大部分を排気口５に排出する第１の送風路１１が、ケーシング１０の内部に形成されている。特にこの図２に示す構成では、本体１の内部にあってケーシング１０に形成され、ファンブレード８から排気口５側に延びるノーズ部１２の上方に、分流板１３が設けられる。分流板１３は、イオン発生部であるマイナスイオン発生部１４に乾燥空気の一部を導入するもので、この分流板１３によって、乾燥空気を排気口５に直接送り出す第１の送風路１１とは別に、ファンブレード８から送り出される空気の一部を利用して、マイナスイオン発生部１４から発生するマイナスイオンを、本体１の正面側にある別のマイナスイオン用の排気口１５に排出する第２の送風路１６が形成される。
【００２１】
次に、本実施例におけるマイナスイオン発生部１４の好適な例を、図３および図４に基づきそれぞれ説明する。図３は、第１の好適な例を示しているが、ここで２１は電源、２２は電源２１からの電力供給を受けて二次側に直流高圧電圧を発生させる高圧発生装置であり、二次側のマイナス側高圧電圧ライン２３Ａには針電極２４が結線接続されると共に、プラス側高圧電圧ライン２３Ｂには対極２５が結線接続される。これらの針電極２４および対極２５は、ベース２６の一部に適度な間隔を保ちつつ、互いに向かい合うように固定されている。また、２７は針電極２４および対極２５からなる高電圧の電極部を手で触れないように覆う電極ケースで、これは実質的なイオン発生部である針電極２４近傍の構造体に相当する。
【００２２】
なお、３０はプリズムであって、これはその下方にある発光素子たるＬＥＤ３１の光を拡散して、運転状態を使用者に知らしめるものである。また３２は、ＬＥＤ３１からのプリズム３０以外の方向の光を遮断するケースである。マイナスイオンＥは使用者が目視できないことから、表示・操作部４にある運転スイッチの入／切に連動して、マイナスイオン発生部１４が動作しているときにＬＥＤ３１を点灯するように構成すれば、使用者はマイナスイオンの発生をプリズム３０からの拡散光によって確認できるばかりでなく、拡散光の色をマイナスイオンＥのイメージとマッチしたものにすれば、目視上でもマイナスイオンＥが発生する印象を使用者に有効にアピールすることができる。
【００２３】
そして、高圧発生装置２２からの直流高圧電圧を、マイナス側およびプラス側の高圧電圧ライン２３Ａ，２３Ｂを介して針電極２４および対極２５間に印加すると、針電極２４の先端にマイナスイオンＥが生成・放出されると共に、電極ケース２７の正面側に開口形成されたイオン発生口２８から、拡散作用によって大気中にマイナスイオンＥが放出され、前記送風機７などにより生成された風に乗って室内にマイナスイオンＥが運搬される。
【００２４】
ところで、従来の電極ケース２７は製造性などの理由から、プラスチック材料の成形加工品で形成されることが多く、その場合は電極ケース２７が静電気の影響を受けやすくなって、マイナスまたはプラスに帯電される。すなわち、電極ケース２７に電気的配慮が成されておらず、電極ケース２７がマイナスに帯電すると、マイナスイオンＥはイオン発生口２８を通過する際に反発して、イオン発生口２８を通過するマイナスイオン量は僅かなものになってしまう。またプラスに帯電した場合は、マイナスイオンＥを吸着して電気的に中和してしまう。そのため、いずれに帯電した場合でも、居住空間に安定してマイナスイオン量を供給することができなかった。
【００２５】
そこでこの第１の好適な例では、電極ケース２７を絶縁体で形成するか、あるいは絶縁性を有する塗料を表面全体にコーティング形成している。具体的には、帯電防止効果のある物質を添加した材料で、ＡＢＳ樹脂やＰＳ樹脂などからなる電極ケース２７とするのが好ましい。電極ケース２７に絶縁性を持たせておけば、マイナスイオンＥがイオン発生口２８を通過する際に反発したり中和することはなく、安定したマイナスイオン量を居住空間に運搬できる。また、僅かなイオン発生口２８の面積で、居住空間に安定したマイナスイオン量を供給できるため、必要以上にイオン発生口２８を大きくする必要がない。そのため、針電極２４および対極２５からなる高電圧部を外部から隔離することができ、電気的な安全性を高めることができる。
【００２６】
次に、第２の好適な例を図４に基づき説明すると、この例では、電極ケース２７を導電体で形成するか、あるいは導電性を有する塗料をその表面全体にコーティングして形成すると共に、電極ケース２７を電気的に接地させるために、電極ケース２７と大地との間をアース線３３で連結している。
【００２７】
すなわち、電極ケース２７を導電体で形成し対地アースを取ることにより、電極ケース２７の静電気をアース線３３から大地に逃がすことができる。そのため、マイナスイオンＥがイオン発生口２８を通過する際に反発したり中和することはなく、安定したマイナスイオン量を居住空間に運搬できる。また、僅かなイオン発生口２８の面積で、居住空間に安定したマイナスイオン量を供給できるため、必要以上にイオン発生口２８を大きくする必要がない。したがって、針電極２４および対極２５からなる高電圧部を外部から隔離することができ、電気的な安全性を高めることができる。
【００２８】
次に、除湿機の冷凍サイクルを模式的に示す図５を参照しながら、本実施例における空調部４１の構成を詳しく説明する。
【００２９】
前記空調部４１は、冷媒を循環するコンプレッサ４２と、冷媒中の熱を放出するコンデンサ４３と、ドライヤ４４と、キャピラリチューブ４５と、空気中の水分を凝縮する熱交換器としてのエバポレータ４６とをパイプ４７により順次連結して構成すると共に、エバポレータ４６からコンプレッサ４２に至る経路と並列に、冷凍サイクル切換部としての除霜用の二方弁４８が設けられている。また、エバポレータ４６には後述する着霜検出手段としての熱交換センサ６４が設けられ、この熱交換センサ６４によりエバポレータ４６の着霜を検出すると、前記二方弁４８を開くように構成している。そして、二方弁４７が閉じた状態では、コンプレッサ４２→コンデンサ４３→ドライヤ４４→キャピラリチューブ４５→エバポレータ４６→コンプレッサ４２の経路で冷媒が循環する冷却用循環路が形成される。また、二方弁４８が開くと、コンプレッサ４２→二方弁４８→エバポレータ４６→コンプレッサ４２に至る加熱用循環路が形成される。
【００３０】
次に、電気的な構成を図６に基づき説明する。５１は除湿機の各部を制御するための制御部、５２は商用電源を供給するコンセント（図示せず）に着脱可能な電源プラグで、制御部５１は商用電源からコンプレッサ４２への電力を供給または遮断する第１リレー接点５３と、コンプレッサ４２の運転中に二方弁４８の開閉を切換える第２リレー接点５４と、前記送風機７を構成するファンモータ５６の正転・反転を切換える第３リレー接点５５をそれぞれ備えている。なお、５８はオーバーロードリレー，５９はランニングキャパシタで、これらはいずれもコンプレッサ４２に関連して接続される。
【００３１】
６１は、貯水タンク３内の水量を検出するフロートスイッチで、フロートスイッチ６１により貯水タンク３内の満水を検知すると、制御部５１は除湿機としての運転を停止するように構成している。また６２は湿度検知手段としての湿度センサ，６３は室温検知手段としての室温センサ，６４は熱交換センサ，６５はマイクロスイッチで、これらのセンサ出力やスイッチ出力に基づき、制御部５１内の第１リレー接点５３，第２リレー接点５４および第３リレー接点５５のオン・オフが独自に制御される。
【００３２】
７１は、貯水タンク３の着脱を検知する着脱検知手段としてのタンクセンサである。制御部５１は電源プラグ５２からの給電がない状態でも、タンクセンサ７１による貯水タンク３の着脱を監視できるように、電気回路にて一定時間（約１週間分）のタイマをカウント可能なバッテリ手段としての蓄電池７２と、この蓄電池７２の充電回路（図示せず）を備えている。また制御部５１には、除湿機としての運転を停止後、一定時間が経過しても貯溜部である貯水タンク３が排水されない場合に、排水を促す表示部としての発光素子すなわちＬＥＤ７３と、報知部としてのブザー７４をそれぞれ備えている。
【００３３】
そして、上記構成において表示・操作部４の運転スイッチを投入すると、除湿機の除湿運転が開始し、制御部５１は二方弁４８を閉じた状態でコンプレッサ４２とファンモータ５６を作動させる。この場合、コンプレッサ４２が圧縮した冷媒は、二方弁４８を通らずコンデンサ４３に入り、ここで冷媒中の熱を放出した後、ドライヤ４４からキャピラリチューブ４５に入って膨張される。その後、エバポレータ４６において熱を奪って、このエバポレータ４６の温度を低下させ、コンプレッサ４２に再び戻る。そして、上記冷却用循環路内で冷媒の循環を繰り返すことで、冷凍サイクルが構成される。また、使用者は必要に応じて表示・操作部４の別のスイッチを押し、マイナスイオン発生部１４を作動させる。マイナスイオン発生部１４からは必要量以上のマイナスイオンがその近傍で発生する。
【００３４】
マイナスイオンの発生量は環境湿度に関係し、湿度が高くなると少なくなるため、空調部４１により適度な湿度に環境を調節することで、マイナスイオンの発生量を増加することができる。よって、特に除湿機、すなわち除湿機能を備えた空調部４１にマイナスイオン発生部１４を設けることで、マイナスイオンの発生量を減少させることなく、室内環境を適度な湿度に保つことができる。
【００３５】
そして、送風機７によって本体１内に吸い込まれた室内の空気がエバポレータ４６に触れて冷却除湿され、この冷却した空気がコンデンサ４３で加温される。また、エバポレータ４６に付着した結露水は、ドレンパン（図示せず）を経由して貯水タンク３に滴下し、貯水タンクに貯溜される。
【００３６】
この場合の除湿機の送風経路は、送風機７の下流側において第１の送風路１１と第２の送風路１２とに分流され、第１の送風路１１の排気口５は本体１の上面側に設けられる一方で、第２の送風路１２の排気口１５は本体１の正面側に設けている。しかも、本体１の上面側にある排気口５から排出する風量が、本体１の正面側にある排気口１５から排出する風量よりも多くなるように、第１の送風路１１と第２の送風路１２を各々形成されている。そのため、マイナスイオン発生部１４を設けていない第１の送風路１１の排気口５は、洗濯物などを乾燥するための除湿乾燥空気を多く排出して、乾燥効果を高める用途に使用できると共に、マイナスイオン発生部１４を配置した第２の送風路１２の排気口１５は、本体１の正面側にいる使用者に対し、不快感を与えずにマイナスイオンを運搬する用途に使用できる。したがって、本体１の正面側にいる使用者に対しては、多量の乾燥空気が当たらない快適な状況でマイナスイオンを運搬でき、同時に本体１の上面側にある洗濯物などに、多量の乾燥空気を直接当てて速やかに乾燥することが可能になる。
【００３７】
一方、室温が低く、エバポレータ４６に霜が付着した場合は、熱交換センサ６４により検出されるエバポレータ４６の温度が低下する。制御部５１は、エバポレータ４６の温度が所定温度である例えば０℃以下を一定時間以上継続したときに、エバポレータ４６の着霜を検出し、それまでの除湿運転から除霜運転に空調部４０の制御を切換える。具体的には、第２リレー接点５４により二方弁４８を開き、コンプレッサ４２からの冷媒をコンデンサ４３に通さずに、二方弁４８を介してエバポレータ４６に直接送り込む。これによりエバポレータ４６は、冷媒の熱を放出して温度を上昇させるように作用し、エバポレータ４６に付着した霜を融かす。エバポレータ４６を通過した冷媒は、再びコンプレッサ４２に戻り、エバポレータ４６の温度が上昇するまで除霜運転を継続する。
【００３８】
また、除湿機が除湿運転を開始して除湿を行なっている時に、表示・操作部４の運転スイッチを再度操作するか、あるいはフロートスイッチ６１が貯水タンク３内の満水を検知すると、制御部５１は除湿機としての運転が停止する。制御部５１は除湿運転が停止すると、内蔵するタイマ手段のカウントを開始し、タンクセンサ７１により貯水タンク３が着脱されたか否かを監視する。この制御部５１によるカウント蓄電池７２を電源として、貯水タンク３が着脱されない限り継続する。そＳちえ、所定時間（例えば２４時間）が経過しても、貯水タンク３が着脱されないと判断した場合は、使用者に対し排水を促すために、ＬＥＤ７３を点滅表示すると共に、ブザー７４による報知を行なう。こうして、貯水タンク３の排水を促すことで、貯水タンク３内の水をなくすことができ、雑菌の増殖や臭いの発生を抑えて除湿機を清潔に使用できる。
【００３９】
以上のように本実施例によれば、空調部４１と送風部である送風機７とイオン発生部であるマイナスイオン発生部１４とを備えた空調機器において、送風機７による送風路を、空調部４１からの空気を排出する第１送風路１１と、マイナスイオン発生部１４からのイオンを排出する第２送風路１２とで分岐形成し、第１送風路１１および第２送風路１２にそれぞれ別の方向の排出部たる排出口５，１５を設けている。
【００４０】
このようにすると、空調部４１からの空気とマイナスイオン発生部１４からのイオンが、それぞれ第１送風路１１と第２送風路１２を通過して、別々の排出口５，１５から外部に排出される。そのため、第２送風路１２に繋がる排出口１５を本体１の例えば正面側に設け、第１送風路１に繋がる排出口５を本体１の例えば上面側若しくは他の方向に設ければ、マイナスイオン発生部１４からのマイナスイオンを、本体１の正面方向から少量の排気風により不快感を与えず、効率良く運搬することができ、且つ空調部４１からの多量の空気を、望ましい本体１の上面方向またはその他の方向に排出できる。したがって、空調部４１からの排出空気を好ましい方向に向ける一方で、マイナスイオン発生部１４からのマイナスイオンを効率良く放出させることができる。
【００４１】
また本実施例では、空気を冷却して除湿する空調部４１と、空調部４１にて結露させた水の貯溜部である貯水タンク３とを備えた空調機器において、運転停止後一定時間が経過しても貯水タンク３が排液すなわち排水されない場合に、排水を促す表示部としてのＬＥＤ７３を設けている。
【００４２】
この場合、運転停止後一定時間が経過しても貯水タンク３が排水されない場合に、排水を促す表示が行なわれるので、使用者であるユーザは定期的に貯水タンク３の液体である水を廃棄するようになる。そのため、貯水タンク３内における雑菌の増殖や臭いの発生を抑え、貯水タンク３内を長期間清潔に使用することができ、貯水タンク３に水が長期間放置されたままになる弊害を防止できる。
【００４３】
また本実施例では、循環気流を生成する空調部４１と、循環気流中にイオンを放出するイオン部たるマイナスイオン発生部１４とを備えた空調機器において、マイナスイオン発生部１４近傍の構造体である電極ケース２７を、電気的に絶縁若しくは接地するように構成している。
【００４４】
この場合、マイナスイオン発生部１４近傍の電極ケース２７が電気的に絶縁されていれば、電極ケース２７はプラスまたはマイナスに帯電しない。また、マイナスイオン発生部１４近傍の電極ケース２７が電気的に接地されていれば、電極ケース２７に帯電した静電気をアースで逃がすことができる。そのため、いずれの場合においても、マイナスイオン発生部１４から発生したマイナスイオンは構造体の影響による中和作用や反発作用がなく、安定したマイナスイオン量を供給できる。
【００４５】
なお本発明は上記実施例に限定されるものではなく、本発明の要旨の範囲内で適宜変更が可能である。例えば、各排出口５，１５の位置は、実施例中のものに限定されない。
【００４６】
【発明の効果】
本発明における請求項１の空調機器によれば、排出空気を好ましい方向に向ける一方で、イオンを効率良く放出させることができる。
【００４７】
本発明における請求項２の空調機器によれば、運転停止後に液体が長期間放置されたままになる弊害を防止できる。
【００４８】
本発明における請求項３の空調機器によれば、イオン部から放出するイオンの中和作用や反発作用を極力押え、安定したイオン量を供給できる。
【図面の簡単な説明】
【図１】本発明の一実施例における空調機器である除湿機の全体斜視図である。
【図２】同上、要部の概略斜視図である。
【図３】同上、イオン発生部の好ましい一例を示す要部の概略説明図である。
【図４】同上、イオン発生部の別の好ましい一例を示す要部の概略説明図である。
【図５】同上、冷凍サイクルの構成を示す概略説明図である
【図６】同上、電気的構成を示す回路図である
【符号の説明】
５  排出口（排出部）
７  送風機（送風部）
１１  第１送風路
１２  第２送風路
１４  マイナスイオン発生部（イオン発生部）
１５  排出口（排出部）
７３  ＬＥＤ（表示部）
【図１】
2004324927.tif 000003
【図２】
2004324927.tif 000004
【図３】
2004324927.tif 000005
【図４】
2004324927.tif 000006
【図５】
2004324927.tif 000007
【図６】
2004324927.tif 000008